(57)【要約】【課題】検査スタッフに手間を掛けさせることなく、どの患者の画像ファイルであるかをサムネイル表示の段階で判別できるようにする。【解決手段】プロセッサ装置のＣＰＵは、検査が開始されると、テンプレート５４をモニタに表示する。検査スタッフは、患者情報５５をテンプレート５４に入力し、完了ボタン５８をクリックする。ＣＰＵは、入力完了が指示されると、テンプレート５４を全画面サイズで表示し、静止画記録を行なって患者情報５５のみを表示するインデックスファイル５３を取得する。検査スタッフは、この後、体腔内の観察を開始し、必要に応じて観察画面を静止画記録した静止画ファイルを取得する。ＣＰＵは、静止画ファイルのサムネイル表示を行なう際、インデックスファイル５３を基にインデックス縮小画像を生成し、サムネイル表示画面に含める。【選択図】図２
2009207610.tif 000002
【特許請求の範囲】
【請求項１】
内視鏡で得られた画像データに画像処理を施して観察画像を生成し、検査対象となる患者を示す患者情報と前記観察画像とをモニタに同時に表示させるとともに記録する内視鏡用画像処理装置において、
前記患者情報のみが表示され、かつ前記患者情報の文字サイズが前記観察画像と同時に表示された前記患者情報の文字サイズよりも大きく表示された患者情報画像を取得する患者情報画像取得部を備えたことを特徴とする内視鏡用画像処理装置。
【請求項２】
取得された前記患者情報画像に縮小処理を施してサムネイル画像を生成し、前記患者情報画像のサムネイル画像をインデックスとした、前記観察画像のサムネイル画像一覧を生成するサムネイル画像一覧生成部を設けたことを特徴とする請求項１記載の内視鏡用画像処理装置。
【請求項３】
前記患者情報を入力するための操作入力手段と、
前記患者情報を入力するための入力画面を前記モニタに表示させる表示制御手段とを有し、
前記患者情報画像取得部は、前記患者情報の入力が完了した前記入力画面をキャプチャし、キャプチャされた前記入力画面を前記患者情報画像として取得することを特徴とする請求項１又は２記載の内視鏡用画像処理装置。
【請求項４】
前記表示制御手段は、検査開始が指示された後、前記観察画像が表示される前に、前記入力画面を表示させ、
前記患者情報の入力が完了したら、前記入力画面を前記観察画像に切り替えることを特徴とする請求項３記載の内視鏡用画像処理装置。
【請求項５】
前記表示制御手段は、前記観察画像のサイズよりも小さい通常サイズと、前記観察画像と同じサイズを有し、前記患者情報が前記通常サイズよりも大きく表示された拡大サイズとで切り替え可能に前記入力画面を表示させ、
前記患者情報画像取得部は、前記拡大サイズの前記入力画面をキャプチャすることを特徴とする請求項３又は４記載の内視鏡用画像処理装置。
【請求項６】
前記患者情報を記憶する患者情報記憶手段をさらに有し、
前記表示制御手段は、前記患者情報記憶手段に記憶された前記患者情報を一覧表示する患者リスト画面を前記モニタに表示させ、
前記患者情報画像取得部は、前記操作入力手段により前記患者リスト画面から選択された前記患者情報が入力された前記入力画面をキャプチャすることを特徴とする請求項３から５のいずれか１項に記載の内視鏡用画像処理装置。
【請求項７】
前記サムネイル画像一覧生成部は、前記患者情報画像のサムネイル画像を前記サムネイル画像一覧の先頭に配することを特徴とする請求項２から６のいずれか１項に記載の内視鏡用画像処理装置。
【請求項８】
記録される前記観察画像は静止画であり、
前記サムネイル画像一覧生成部は、静止画の前記観察画像のサムネイル画像と、前記患者情報画像のサムネイル画像とを並べて、前記サムネイル画像一覧を生成することを特徴とする請求項２から７のいずれか１項に記載の内視鏡用画像処理装置。
【請求項９】
記録される前記観察画像は動画であり、
前記患者情報画像取得部は、動画の前記観察画像の先頭となるように前記患者情報画像を取得し、
前記サムネイル画像一覧生成部は、動画の前記観察画像の先頭の前記患者情報画像のサムネイル画像を並べて、前記サムネイル画像一覧を生成することを特徴とする請求項２から８のいずれか１項に記載の内視鏡用画像処理装置。
【請求項１０】
前記患者情報画像と前記観察画像とは、検査毎にディレクトリに分けて記録され、
前記サムネイル画像一覧生成部は、前記患者情報画像と前記観察画像とを前記ディレクトリから読み出して、検査毎の前記サムネイル画像一覧を生成することを特徴とする請求項２から９のいずれか１項に記載の内視鏡用画像処理装置。
【請求項１１】
内視鏡で得られた画像データに画像処理を施して観察画像を生成し、検査対象となる患者を示す患者情報と前記観察画像とをモニタに同時に表示させるとともに記録する内視鏡用画像処理方法において、
前記患者情報のみが表示され、かつ前記患者情報の文字サイズが前記観察画像と同時に表示された前記患者情報の文字サイズよりも大きく表示された患者情報画像を取得するステップを有することを特徴とする内視鏡用画像処理方法。
【請求項１２】
内視鏡と、この内視鏡で得られた画像データに画像処理を施して観察画像を生成し、検査対象となる患者を示す患者情報と前記観察画像とをモニタに同時に表示させるとともに記録する内視鏡用画像処理装置とからなる内視鏡システムにおいて、
前記内視鏡用画像処理装置は、前記患者情報のみが表示され、かつ前記患者情報の文字サイズが前記観察画像と同時に表示された前記患者情報の文字サイズよりも大きく表示された患者情報画像を取得する患者情報画像取得部を有することを特徴とする内視鏡システム。
【発明の詳細な説明】
【技術分野】
【０００１】
本発明は、内視鏡から出力される画像データから観察画面を生成してモニタに表示させる内視鏡用画像処理装置、及びその内視鏡用画像処理方法、並びにこれらを用いた内視鏡システムに関する。
【背景技術】
【０００２】
内視鏡システムは、体腔内を撮影する内視鏡（スコープ）と、内視鏡から出力される画像データに画像処理を施してモニタに出力する内視鏡用画像処理装置（プロセッサ装置）とからなる。内視鏡システムを用いて検査を行なう場合、検査対象となる患者の氏名や患者ＩＤなどといった患者情報の入力が、検査開始前に行なわれる。プロセッサ装置は、観察画像をモニタに出力する際に、入力された患者情報を観察画像の四隅に表示する。これにより、静止画像、又は動画像の画像ファイルとして記録された観察画像を後から参照する際に、四隅に表示された患者情報を見ることで、その画像ファイルが、どの患者のものであるかを容易に判別することができる。
【０００３】
しかしながら、検査開始前に逐一患者情報を入力するのは、検査を行なう医師や技師、及び看護師などの検査スタッフにとって非常に煩わしい。このため、特許文献１では、複数の患者の患者情報を患者リストとして予めまとめておき、患者リストから所望の患者情報を選択することで、入力の手間を省けるようにしている。
【特許文献１】特開２００１−２１８７３６号公報
【発明の開示】
【発明が解決しようとする課題】
【０００４】
内視鏡検査によって多数の画像ファイルが取得された場合、ファイル名を参照しただけでは、各画像ファイルの内容（撮影部位など）の判別が付き難い。このため、プロセッサ装置は、各画像ファイルの縮小画像を並べて一覧表示する、いわゆるサムネイル表示機能を有している。サムネイル表示を行なえば、撮影された部位を概ね判別することができるので、多数の画像ファイルが取得された場合にも、所望の画像ファイルの検索を容易に行なうことができる。
【０００５】
ところが、サムネイル表示の縮小画像では、四隅に表示された患者情報の文字サイズが小さくなりすぎ、読み取れなくなってしまうという問題が生じる。このため、異なる患者に対する複数の検査の画像ファイルが保管されている場合には、サムネイル表示の後、結局画像ファイルを開いて四隅に表示された患者情報を確認しなければ、患者を特定できなかった。
【０００６】
このように患者情報の確認を行なうことは、検査スタッフにとって非常に煩わしく、どの患者の画像ファイルであるかをサムネイル表示の段階で判別できるようにしたいという要望がある。この解決策として、患者情報の入力が完了したモニタの画面を最初に静止画記録し、サムネイル表示のインデックスとして使用することが考えられる。しかしながら、入力画面の撮影は、検査スタッフが意図的に行なわなければならないため、手間が掛かるとともに、撮影を忘れてしまうことも懸念される。
【０００７】
本発明は、上記課題を鑑みてなされたものであり、検査スタッフに手間を掛けさせることなく、どの患者の画像ファイルであるかをサムネイル表示の段階で判別できるようにすることを目的とする。
【課題を解決するための手段】
【０００８】
上記目的を達成するため、内視鏡で得られた画像データに画像処理を施して観察画像を生成し、検査対象となる患者を示す患者情報と前記観察画像とをモニタに同時に表示させるとともに記録する本発明の内視鏡用画像処理装置は、前記患者情報のみが表示され、かつ前記患者情報の文字サイズが前記観察画像と同時に表示された前記患者情報の文字サイズよりも大きく表示された患者情報画像を取得する患者情報画像取得部を備えたことを特徴とする。なお、患者情報画像は、観察画像と同一の画像サイズを有していることが好ましいが、両者の画像サイズは、必ずしも一致していなくてもよい。また、患者情報画像に表示される患者情報の文字サイズは、サムネイル表示を行なった際などにも容易に文字を認識できる程度の大きさでよい。ここで、内視鏡システムでは、１５インチ若しくは１９インチの画面サイズを有するモニタが一般的に用いられている。また、サムネイル表示の分割数は、４、８、又は１６が一般的である。患者情報画像に表示される患者情報の文字サイズは、これらの条件に応じて適宜設定すればよい。
【０００９】
なお、取得された前記患者情報画像に縮小処理を施してサムネイル画像を生成し、前記患者情報画像のサムネイル画像をインデックスとした、前記観察画像のサムネイル画像一覧を生成するサムネイル画像一覧生成部を設けることが好ましい。
【００１０】
また、前記患者情報を入力するための操作入力手段と、前記患者情報を入力するための入力画面を前記モニタに表示させる表示制御手段とを有し、前記患者情報画像取得部は、前記患者情報の入力が完了した前記入力画面をキャプチャし、キャプチャされた前記入力画面を前記患者情報画像として取得することが好ましい。
【００１１】
さらに、前記表示制御手段は、検査開始が指示された後、前記観察画像が表示される前に、前記入力画面を表示させ、前記患者情報の入力が完了したら、前記入力画面を前記観察画像に切り替えることが好ましい。
【００１２】
なお、前記表示制御手段は、前記観察画像のサイズよりも小さい通常サイズと、前記観察画像と同じサイズを有し、前記患者情報が前記通常サイズよりも大きく表示された拡大サイズとで切り替え可能に前記入力画面を表示させ、前記患者情報画像取得部は、前記拡大サイズの前記入力画面をキャプチャすることが好ましい。
【００１３】
また、前記患者情報を記憶する患者情報記憶手段をさらに有し、前記表示制御手段は、前記患者情報記憶手段に記憶された前記患者情報を一覧表示する患者リスト画面を前記モニタに表示させ、前記患者情報画像取得部は、前記操作入力手段により前記患者リスト画面から選択された前記患者情報が入力された前記入力画面をキャプチャすることが好ましい。
【００１４】
さらに、前記サムネイル画像一覧生成部は、前記患者情報画像のサムネイル画像を前記サムネイル画像一覧の先頭に配することが好ましい。
【００１５】
なお、記録される前記観察画像は静止画であり、前記サムネイル画像一覧生成部は、静止画の前記観察画像のサムネイル画像と、前記患者情報画像のサムネイル画像とを並べて、前記サムネイル画像一覧を生成することが好ましい。
【００１６】
また、記録される前記観察画像は動画であり、前記患者情報画像取得部は、動画の前記観察画像の先頭となるように前記患者情報画像を取得し、前記サムネイル画像一覧生成部は、動画の前記観察画像の先頭の前記患者情報画像のサムネイル画像を並べて、前記サムネイル画像一覧を生成することが好ましい。
【００１７】
さらに、前記患者情報画像と前記観察画像とは、検査毎にディレクトリに分けて記録され、前記サムネイル画像一覧生成部は、前記患者情報画像と前記観察画像とを前記ディレクトリから読み出して、検査毎の前記サムネイル画像一覧を生成することが好ましい。
【００１８】
なお、内視鏡で得られた画像データに画像処理を施して観察画像を生成し、検査対象となる患者を示す患者情報と前記観察画像とをモニタに同時に表示させるとともに記録する本発明の内視鏡用画像処理方法は、前記患者情報のみが表示され、かつ前記患者情報の文字サイズが前記観察画像と同時に表示された前記患者情報の文字サイズよりも大きく表示された患者情報画像を取得するステップを有することを特徴とする。
【００１９】
また、内視鏡と、この内視鏡で得られた画像データに画像処理を施して観察画像を生成し、検査対象となる患者を示す患者情報と前記観察画像とをモニタに同時に表示させるとともに記録する内視鏡用画像処理装置とからなる本発明の内視鏡システムは、前記内視鏡用画像処理装置が、前記患者情報のみが表示され、かつ前記患者情報の文字サイズが前記観察画像と同時に表示された前記患者情報の文字サイズよりも大きく表示された患者情報画像を取得する患者情報画像取得部を有することを特徴とする。
【発明の効果】
【００２０】
本発明では、検査対象となる患者を示す患者情報のみが表示され、かつ患者情報の文字サイズが観察画像と同時に表示された患者情報の文字サイズよりも大きく表示された患者情報画像を取得するようにした。これにより、患者情報画像に縮小処理を施してサムネイル画像を生成し、患者情報画像のサムネイル画像をインデックスとした、観察画像のサムネイル画像一覧を生成することで、どの患者の観察画像であるかをサムネイル表示の段階で判別することができる。また、患者情報画像の取得を患者情報画像取得部が自動的に行なうので、検査スタッフに手間を掛けさせることもない。
【発明を実施するための最良の形態】
【００２１】
図１は、内視鏡システム２の構成を概略的に示すブロック図である。内視鏡システム２は、患者の体腔内を撮影する電子内視鏡１０と、観察画像を生成するプロセッサ装置（内視鏡用画像処理装置）１２と、観察画像を表示するモニタ１４とからなる。電子内視鏡１０は、コネクタを介してプロセッサ装置１２、及び図示を省略した光源装置に着脱自在に接続される。モニタ１４には、液晶ディスプレイ、ＣＲＴディスプレイなどの周知の表示装置が用いられる。また、モニタ１４には、一般に１５インチ若しくは１９インチの画面サイズのものが採用される。
【００２２】
電子内視鏡１０には、ＣＣＤ２０と相関二重サンプリング／プログラマブルゲインアンプ（以下、ＣＤＳ／ＰＧＡと称す）２１とレリーズボタン２２とが設けられている。ＣＣＤ２０は、患者の体腔内に挿入される挿入部の先端に配置され、観察窓を介して入射した被写体像を撮像する。ＣＤＳ／ＰＧＡ２１は、ＣＣＤ２０から出力される撮像信号に対してノイズ除去と増幅とを行う。レリーズボタン２２は、電子内視鏡１０の手元操作部に配置され、プロセッサ装置１２と電気的に接続される。レリーズボタン２２は、モニタ１４に動画像で表示される観察画像の静止画記録をプロセッサ装置１２に指示するためのものである。レリーズボタン２２を押圧すると、静止画記録が実行され、観察画像がデジタルの静止画ファイルとして記録される。内視鏡検査を実施する医師や技師は、例えば、患部などといった特徴的な部分が観察された際にレリーズボタン２２を押圧し、その観察画像を静止画ファイルとして記録する。
【００２３】
プロセッサ装置１２には、ＣＰＵ（患者情報画像取得部）３０、ＲＡＭ３１、タイミングジェネレータ（以下、ＴＧと称す）３２、ＣＣＤドライバ３３、カードスロット３４、Ａ／Ｄ変換器（以下、Ａ／Ｄと称す）３５、画像処理部３６、スーパーインポーザ３７、表示制御部３８、及びこれらの各部を相互に接続するバス３９が設けられている。
【００２４】
ＣＰＵ３０には、制御に必要な各種の情報を一時的に記憶する作業用メモリであるワークメモリ４０と、文字情報を入力する入力デバイスであるキーボード（操作入力手段）４１と、周知のポインティングデバイスであるマウス（操作入力手段）４２と、プロセッサ装置１２に検査開始を指示するための検査開始ボタン４３とが接続されている。さらに、ＣＰＵ３０には、コネクタや電子内視鏡１０に設けられたユニバーサルコードなどを介してレリーズボタン２２が接続されている。
【００２５】
ＲＡＭ３１には、プロセッサ装置１２を制御するための各種のプログラムが記憶されている。ＣＰＵ３０は、各種のプログラムをＲＡＭ３１から読み出してワークメモリ４０に展開し、そのプログラムを逐次処理することによってプロセッサ装置１２の各部を制御する。検査開始ボタン４３は、例えば、プロセッサ装置１２の外装ケース前面に配置される。検査開始ボタン４３を押圧すると、プロセッサ装置１２に検査開始が指示される。そして、検査後に検査開始ボタン４３を再び押圧することで、プロセッサ装置１２に検査終了が指示される。
【００２６】
ＴＧ３２は、ＣＰＵ３０の制御の下、タイミング信号（クロックパルス）をＣＣＤドライバ３３に入力する。ＣＣＤドライバ３３は、入力されたタイミング信号に基づいて駆動信号をＣＣＤ２０に入力し、ＣＣＤ２０の蓄積電荷の読み出しタイミングやＣＣＤ２０の電子シャッタのシャッタ速度などを制御する。
【００２７】
Ａ／Ｄ３５は、ＣＤＳ／ＰＧＡ２１から出力されるアナログの撮像信号をデジタルの画像データに変換する。画像処理部３６は、Ａ／Ｄ３５でデジタル化された画像データに対して各種の画像処理を施す。スーパーインポーザ３７は、ＣＰＵ３０の制御の下、画像処理後の画像データに対して所定の文字列を加える。表示制御部３８は、画像処理部３６で画像処理が施された画像データ、又はスーパーインポーザ３７で文字列が加えられた画像データをモニタ１４の形式に対応したビデオ信号（コンポーネント信号、コンポジット信号など）に変換し、そのビデオ信号をモニタ１４に出力する。これにより、患者の体腔内を撮影した観察画像がモニタ１４に表示される。
【００２８】
カードスロット３４は、コンパクトフラッシュ（登録商標）カード（以下、ＣＦカードと称す）４４を着脱自在に保持し、ＣＦカード４４との機械的電気的接続を得る。ＣＦカード４４には、画像ファイル保管部５０が設けられている。画像ファイル保管部５０には、複数のディレクトリ５１が記憶されている。ディレクトリ５１には、レリーズボタン２２の押圧によって取得された複数の静止画ファイル５２と、各静止画ファイル５２がどの患者のものであるかを示すインデックスファイル５３とが保管されている。ＣＰＵ３０は、検査が開始される毎に新たなディレクトリ５１を画像ファイル保管部５０に作成する。そして、検査中に静止画ファイル５２が取得されると、その静止画ファイル５２を、作成したディレクトリ５１に保管する。これにより、ＣＰＵ３０は、静止画ファイル５２を検査毎に管理する。
【００２９】
ＲＡＭ３１には、インデックスファイル５３を作成するためのテンプレート５４が記憶されている。ＣＰＵ３０は、検査開始ボタン４３の押圧によって検査の開始が指示されると、画像ファイル保管部５０に新たなディレクトリ５１を作成した後、インデックスファイル５３の作成を開始する。インデックスファイル５３の作成は、図２に示すように、検査対象となる患者を示す患者情報５５をテンプレート５４に入力することによって行なわれる。
【００３０】
ＣＰＵ３０は、インデックスファイル５３の作成を開始すると、まず、ＲＡＭ３１からテンプレート５４を読み出し、患者情報５５の入力画面としてモニタ１４に表示する。テンプレート５４には、患者情報５５を入力するための複数のテキスト入力ボックス５６と、テンプレート５４の表示サイズを切り替えるための表示サイズ切替ボタン５７と、患者情報５５の入力完了を指示するための完了ボタン５８とが設けられている。
【００３１】
患者情報５５には、例えば、患者名、患者ＩＤ、性別、生年月日、年齢、主治医、検査内容などの複数の項目が含まれる。テキスト入力ボックス５６は、患者情報５５の項目毎に作成されている。医師や技師、及び看護師などの検査スタッフは、カルテや検査の依頼表などを参照しながらキーボード４１とマウス４２とを操作し、項目に対応した内容を各テキスト入力ボックス５６に書き込むことにより、テンプレート５４に患者情報５５を入力する。
【００３２】
ＣＰＵ３０は、ＲＡＭ３１から読み出してテンプレート５４をモニタ１４に表示する際、図３（ａ）に示すように、モニタ１４の画面サイズよりも小さい通常サイズで表示する。通常サイズのテンプレート５４は、観察画像を表示する観察画面６０の上に重ねて表示される。ＣＰＵ３０は、表示サイズ切替ボタン５７がクリックされると、図３（ｂ）に示すように、モニタ１４の画面全体に表示される全画面サイズ（拡大サイズ）にテンプレート５４の表示サイズを切り替える。
【００３３】
全画面サイズのテンプレート５４は、通常サイズのテンプレート５４に比べて、表示面積が拡大されるとともに、各テキスト入力ボックス５６、各ボタン５７、５８のサイズ、及びテキスト入力ボックス５６に入力された患者情報５５の文字サイズも拡大される。また、ＣＰＵ３０は、表示サイズ切替ボタン５７がクリックされる毎に、通常サイズと全画面サイズとにテンプレート５４の表示サイズを切り替える。
【００３４】
検査スタッフは、患者情報５５の入力を完了させると、マウス４２を操作して完了ボタン５８をクリックし、入力の完了をＣＰＵ３０に指示する。ＣＰＵ３０は、完了ボタン５８のクリックによって患者情報５５の入力完了が指示されると、入力された患者情報５５をワークメモリ４０に記録する。この後、ＣＰＵ３０は、テンプレート５４を全画面サイズでモニタ１４に表示し、そのテンプレート５４を患者情報画像として静止画記録（キャプチャ）する。ＣＰＵ３０は、このようにして取得した静止画像をインデックスファイル５３とし、検査開始時に作成したディレクトリ５１に保管する。
【００３５】
ＣＰＵ３０は、インデックスファイル５３の作成を終えると、テンプレート５４を非表示にし、観察画面６０のみをモニタ１４に表示させる。この際、ＣＰＵ３０は、患者情報５５を文字列として加えるようにスーパーインポーザ３７に指示する。スーパーインポーザ３７は、ＣＰＵ３０からの指示を受けると、図４に示すように、ワークメモリ４０から患者情報５５を読み出す。そして、その患者情報５５に応じた患者情報文字列６２を観察画面６０の右下部分に表示させる。
【００３６】
検査スタッフは、観察画面６０を見ながら内視鏡検査を行なう。そして、必要に応じてレリーズボタン２２を押圧し、静止画記録を指示する。ＣＰＵ３０は、レリーズボタン２２が押圧されると、観察画面６０を静止画記録して静止画ファイル５２を取得し、インデックスファイル５３と同様に、取得した静止画ファイル５２を検査開始時に作成したディレクトリ５１に保管する。これにより、静止画ファイル５２が示す画像にも右下部分に患者情報文字列６２が表示されるので、静止画ファイル５２を後から参照する際に、その静止画ファイル５２がどの患者のものであるかを容易に判別することができる。
【００３７】
なお、患者情報文字列６２を示す位置は、右下に限ることなく、画像の四隅など観察の邪魔にならないところであればよい。また、１箇所にまとめることなく、例えば、患者名と患者ＩＤと性別と生年月日と年齢は、画面右下に配置し、主治医と検査内容は画面左下に配置するといったように、複数の箇所に分けて配置してもよい。
【００３８】
ＣＰＵ３０には、ディレクトリ５１に保管された各静止画ファイル５２、及びインデックスファイル５３の示す画像をモニタ１４にサムネイル表示するためのサムネイル表示部（サムネイル画像一覧生成部）４５が設けられている。検査スタッフは、検査後に静止画ファイル５２を参照したい場合、マウス４２を操作してＣＦカード４４の画像ファイル保管部５０にアクセスし、画像ファイル保管部５０に記憶された各ディレクトリ５１の中から所望のディレクトリ５１を選択する。ＣＰＵ３０は、ディレクトリ５１が選択されると、各静止画ファイル５２とインデックスファイル５３とを、選択されたディレクトリ５１からワークメモリ４０に読み出すとともに、サムネイル表示部４５にサムネイル表示処理の実行を指示する。
【００３９】
サムネイル表示部４５は、サムネイル表示の実行が指示されると、ワークメモリ４０に読み出された各ファイル５２、５３を基に、それらの縮小画像（サムネイル画像）を生成する。そして、生成した各縮小画像を取得された順に並べることにより、図５に示すサムネイル表示画面６４を構成し、そのサムネイル表示画面６４をモニタ１４に表示する。
【００４０】
サムネイル表示画面６４は、観察画像のサムネイル画像を一覧表示するものであり、静止画ファイル５２に縮小処理を施すことによって生成された観察画面縮小画像６６と、インデックスファイル５３に縮小処理を施すことによって生成されたインデックス縮小画像６７とが含まれる。観察画面縮小画像６６は、観察画像と患者情報文字列６２とを表示する。インデックス縮小画像６７は、患者情報５５のみを表示する。前述のように、インデックスファイル５３の作成は、観察画面６０の静止画記録に先立って行なわれる。従って、サムネイル表示画面６４では、インデックス縮小画像６７が先頭に表示され、その後に、観察画面縮小画像６６が表示される。なお、本例では、左上を先頭とし、そこから右端まで順に並べるとともに、右端に達したら次の段の左端からまた順に並べることで、サムネイル表示画面６４を構成している。また、各列に並べられる画像の枚数は、モニタ１４の画面サイズなどに応じて適宜設定すればよいが、４、８、又は１６であることが好ましい。
【００４１】
検査スタッフは、サムネイル表示画面６４がモニタ１４に表示されると、各観察画面縮小画像６６を参照して各静止画ファイル５２の撮影内容を確認する。そして、所望の静止画ファイル５２があった場合には、マウス４２を操作して観察画面縮小画像６６をクリックすることにより、その静止画ファイル５２を選択する。ＣＰＵ３０は、観察画面縮小画像６６がクリックされると、その観察画面縮小画像６６に対応する静止画ファイル５２の示す観察画像をモニタ１４に表示させる。このように、サムネイル表示を行なうことで、ディレクトリ５１内に複数の静止画ファイル５２が保管されている場合にも、所望の静止画ファイル５２を容易に検索することができる。
【００４２】
ところで、観察画面６０に表示される患者情報文字列６２は、観察画像の観察の邪魔にならないよう、観察画面６０の右下部分に小さく表示される。このため、観察画面縮小画像６６としてサムネイル表示画面６４に表示すると、患者情報文字列６２の文字サイズが小さくなりすぎ、患者情報５５が読み取れなくなってしまう。これに対し、インデックスファイル５３では、モニタ１４の画面全体に患者情報５５が表示されるように文字サイズを拡大しているため、インデックス縮小画像６７としてサムネイル表示画面６４に表示した際にも、テキスト入力ボックス５６に入力された患者情報５５を適切に読み取ることができる。
【００４３】
従って、インデックス縮小画像６７をサムネイル表示画面６４の先頭に表示させることにより、選択したディレクトリ５１に保管された各静止画ファイル５２が、どの患者のものであるかをサムネイル表示の段階で検査スタッフに判別させることができる。また、ＣＰＵ３０が自動的にインデックスファイル５３を取得するので、検査スタッフに手間を掛けさせることもない。
【００４４】
次に、図６、及び図７に示すフローチャートを参照しながら、上記構成による内視鏡システム２の作用について説明する。図６に、内視鏡システム２の検査手順の概略を示す。内視鏡システム２で検査を実施する際には、先ず洗浄・消毒などが施された清潔な電子内視鏡１０を、プロセッサ装置１２に接続する。そして、この後、プロセッサ装置１２に設けられた検査開始ボタン４３を押圧して内視鏡検査を開始する。
【００４５】
プロセッサ装置１２のＣＰＵ３０は、検査開始が指示されると、ＴＧ３２の制御を開始し、ＣＣＤ２０の駆動信号をＣＣＤドライバ３３に出力させる。ＣＣＤ２０は、入力された駆動信号を基に、観察窓を介して入射した像光を撮像し、撮像信号をＣＤＳ／ＰＧＡ２１に出力する。出力された撮像信号は、ＣＤＳ／ＰＧＡ２１によるノイズ除去と増幅、Ａ／Ｄ３５によるＡ／Ｄ変換、画像処理部３６による画像処理、及び表示制御部３８によるビデオ信号への変換を介してモニタ１４に入力される。これにより、観察画面６０がモニタ１４に表示される。
【００４６】
また、ＣＰＵ３０は、検査開始が指示されると、観察画面６０を表示させるとともに、新たなディレクトリ５１を画像ファイル保管部５０に作成する。ＣＰＵ３０は、ディレクトリ５１を作成すると、ＲＡＭ３１からテンプレート５４を読み出してモニタ１４に表示し、検査スタッフに患者情報５５を入力させる。検査スタッフは、テンプレート５４が表示されると、キーボード４１とマウス４２とを操作してテキスト入力ボックス５６に患者情報５５を入力する。そして、入力後、完了ボタン５８をクリックし、入力の完了をプロセッサ装置１２に指示する。
【００４７】
ＣＰＵ３０は、患者情報５５の入力完了が指示されると、入力された患者情報５５をワークメモリ４０に記録する。この後、ＣＰＵ３０は、テンプレート５４を全画面サイズでモニタ１４に表示して静止画記録を行ない、取得された静止画像をインデックスファイル５３として検査開始時に作成したディレクトリ５１に保管する。
【００４８】
ＣＰＵ３０は、インデックスファイル５３を取得すると、テンプレート５４を非表示にし、患者情報５５を文字列として加えるようにスーパーインポーザ３７に指示する。スーパーインポーザ３７は、ＣＰＵ３０からの指示を受けると、ワークメモリ４０から患者情報５５を読み出し、その患者情報５５に応じた患者情報文字列６２を観察画面６０の右下部分に表示させる。
【００４９】
検査スタッフは、患者情報文字列６２を含む観察画面６０がモニタ１４に表示された後、電子内視鏡１０の挿入部を患者の体腔内に挿入し、体腔内の観察を始める。そして、必要に応じてレリーズボタン２２を押圧し、静止画ファイル５２を取得する。取得された静止画ファイル５２は、インデックスファイル５３と同様に、検査開始時に作成されたディレクトリ５１に保管される。
【００５０】
図７に、取得された静止画ファイル５２を参照する際の手順を概略的に示す。検査スタッフは、検査後に所定の静止画ファイル５２を参照したい場合、マウス４２を操作してＣＦカード４４の画像ファイル保管部５０にアクセスし、画像ファイル保管部５０に記憶された各ディレクトリ５１の中から所望のディレクトリ５１を選択する。ＣＰＵ３０は、ディレクトリ５１が選択されると、各静止画ファイル５２とインデックスファイル５３とを、選択されたディレクトリ５１からワークメモリ４０に読み出すとともに、サムネイル表示部４５にサムネイル表示処理の実行を指示する。
【００５１】
サムネイル表示部４５は、サムネイル表示の実行が指示されると、ワークメモリ４０に読み出された各ファイル５２、５３を基にサムネイル表示画面６４を構成し、そのサムネイル表示画面６４をモニタ１４に表示する。検査スタッフは、サムネイル表示画面６４が表示された後、インデックス縮小画像６７に表示された患者情報５５を読み取り、選択したディレクトリ５１に保管された各静止画ファイル５２が所望の患者のものであるか否かを判定する。
【００５２】
検査スタッフは、所望の患者のものではないと判定すると、サムネイル表示画面６４を非表示にし、ディレクトリ５１の選択をやり直す。一方、検査スタッフは、所望の患者のものであると判定すると、各観察画面縮小画像６６を参照して撮影内容を確認する。そして、所望の静止画ファイル５２の観察画面縮小画像６６をクリックすることにより、その静止画ファイル５２の示す観察画像をモニタ１４に表示させる。
【００５３】
このように、本実施形態によれば、選択したディレクトリ５１に保管された各静止画ファイル５２がどの患者のものであるかを、サムネイル表示画面６４を参照するだけで判別することができ、静止画ファイル５２の示す画像をモニタ１４に表示させて患者情報文字列６２を確認する必要がないので、検査スタッフの業務効率を向上させることができる。
【００５４】
なお、上記実施形態では、検査毎にディレクトリ５１を分けて静止画ファイル５２とインデックスファイル５３とを保管するようにしたが、ディレクトリ５１を分けることなく、各検査の静止画ファイル５２とインデックスファイル５３とを一箇所にまとめて保管するようにしてもよい。例えば、上記実施形態のように、一検査分の観察画面縮小画像６６の先頭にインデックス縮小画像６７を表示するようにしておけば、ディレクトリ５１を分けなくても、各インデックス縮小画像６７の間が一検査分の観察画面縮小画像６６であると判別することができる。
【００５５】
また、上記実施形態では、インデックス縮小画像６７を先頭に表示させるようにしたが、ディレクトリ５１を分けるなど静止画ファイル５２とインデックスファイル５３とが検査単位で管理されている場合には、先頭に限ることなく、サムネイル表示画面６４の任意の位置にインデックス縮小画像６７を表示してよい。
【００５６】
さらに、上記実施形態では、モニタ１４の画面全体に表示されるようにインデックスファイル５３の患者情報５５の文字サイズを拡大したが、インデックスファイル５３の患者情報５５の文字サイズは、インデックス縮小画像６７とした際に患者情報５５を容易に認識できる大きさであればよい。
【００５７】
なお、上記実施形態では、カードスロット３４に着脱自在に保持されるＣＦカード４４に画像ファイル保管部５０を設け、ＣＦカード４４に各ファイル５２、５３を保管するようにしたが、各ファイル５２、５３の保管先は、これに限定されるものではない。例えば、図８に示すように、プロセッサ装置１２に入出力インタフェース（Ｉ／Ｆ）７０を設けるとともに、この入出力Ｉ／Ｆ７０に接続されるレコーダ７１に画像ファイル保管部５０を設け、外部接続されるレコーダ７１に各ファイル５２、５３を保管してもよい。
【００５８】
さらには、図９に示すように、プロセッサ装置１２にＬＡＮＩ／Ｆ７２を設けるとともに、ＬＡＮ７３を介してＬＡＮＩ／Ｆ７２に接続される画像サーバ７４に画像ファイル保管部５０を設け、ＬＡＮ７３などのネットワークを介して接続される画像サーバ７４に各ファイル５２、５３を保管してもよい。なお、レコーダ７１や画像サーバ７４などの外部機器に各ファイル５２、５３を保管する際には、図８及び図９に示すように、これらの外部機器にサムネイル表示部４５を設け、各ファイル５２、５３を保管した外部機器側でサムネイル表示画面６４を構成させることが好ましい。こうすれば、プロセッサ装置１２の処理負担を軽減させることができる。
【００５９】
次に、本発明の第２の実施形態について説明する。なお、上記実施形態と機能・構成上同一のものについては、同符号を付し、詳細な説明を省略する。図１０に示すように、本実施形態の内視鏡システム８０のプロセッサ装置８２は、ＲＡＭ８４に患者情報記憶部（患者情報記憶手段）８５を有している。患者情報記憶部８５には、複数の患者情報５５が記憶されている。
【００６０】
プロセッサ装置８２のＣＰＵ８６には、リスト作成部８７が設けられている。リスト作成部８７は、患者情報記憶部８５に記憶された患者情報５５を基に、図１１に示す患者リスト画面８８を作成する。患者リスト画面８８は、患者情報記憶部８５に患者情報５５が記憶された患者の患者名と患者ＩＤとを表形式で一覧表示する。また、患者リスト画面８８の各欄には、所望の患者を選択するための選択ボタン８９が設けられている。この患者リスト画面８８は、インデックスファイル５３の作成時に用いられる。
【００６１】
ＣＰＵ８６は、検査開始ボタン４３の押圧によって検査の開始が指示されると、上記第１の実施形態と同様に、画像ファイル保管部５０に新たなディレクトリ５１を作成した後、インデックスファイル５３の作成を開始する。ＣＰＵ８６は、インデックスファイル５３の作成を開始すると、まず、患者情報記憶部８５に記憶された患者情報５５をワークメモリ４０に読み出し、リスト作成部８７に患者リスト画面８８の作成を指示する。
【００６２】
リスト作成部８７は、ＣＰＵ８６からの指示を受けると、ワークメモリ４０に読み出された各患者情報５５から患者名と患者ＩＤとを抽出し、患者リスト画面８８を作成する。ＣＰＵ８６は、リスト作成部８７に患者リスト画面８８を作成させると、その患者リスト画面８８をモニタ１４に表示させる。検査スタッフは、患者リスト画面８８から検査対象となる患者を検索する。そして、検査対象となる患者を見付けると、マウス４２を操作し、その患者が表示された欄の選択ボタン８９をクリックする。
【００６３】
ＣＰＵ８６は、選択ボタン８９がクリックされると、その患者の患者情報５５をワークメモリ４０から読み出すとともに、テンプレート５４をＲＡＭ８４から読み出す。ＣＰＵ８６は、テンプレート５４と患者情報５５とを読み出すと、患者情報５５をテンプレート５４に入力する。この後、ＣＰＵ８６は、患者リスト画面８８を非表示にし、患者情報５５が入力されたテンプレート５４をモニタ１４に表示する。
【００６４】
検査スタッフは、テンプレート５４が表示されると、入力された患者情報５５の内容を確認し、完了ボタン５８をクリックする。ＣＰＵ８６は、完了ボタン５８がクリックされると、テンプレート５４を静止画記録し、インデックスファイル５３として検査開始時に作成したディレクトリ５１に保管する。
【００６５】
上記第１の実施形態では、インデックスファイル５３を作成する際に、検査スタッフに患者情報５５を入力させていた。これに対し、本実施形態では、患者リスト画面８８から所望の患者を選択するだけで患者情報５５がテンプレート５４に入力されるので、患者情報５５を入力する手間を省くことができる。なお、上記第１の実施形態と本実施形態とを組み合わせて、キーボード４１を介して患者情報５５を手動で入力するか、患者リスト画面８８から患者情報５５を入力するかを選択できるようにしてもよい。
【００６６】
なお、本実施形態では、患者リスト画面８８から患者情報５５を選択した後、患者情報５５が入力されたテンプレート５４をモニタ１４に表示し、完了ボタン５８がクリックされたことに応じてインデックスファイル５３を生成するようにしたが、これに限ることなく、例えば、選択ボタン８９がクリックされた後、テンプレート５４を表示せずに内部の処理だけでインデックスファイル５３を生成するようにしてもよい。
【００６７】
次に、本発明の第３の実施形態について説明する。図１２に示すように、本実施形態の内視鏡システム１００のプロセッサ装置１０２は、上記各実施形態と同様に、ＣＦカード４４を着脱自在に保持するカードスロット３４を有している。ＣＦカード４４には、画像ファイル保管部１０５が設けられている。画像ファイル保管部１０５には、複数の動画ファイル１０６が保管されている。プロセッサ装置１０２は、検査開始から終了までの一連の観察画像を動画記録することにより、検査毎に動画ファイル１０６を作成する。
【００６８】
プロセッサ装置１０２のＣＰＵ１０８は、検査開始ボタン４３の押圧によって検査の開始が指示されると、ＲＡＭ３１からテンプレート５４を読み出してモニタ１４に表示し、検査スタッフに患者情報５５を入力させる。検査スタッフは、テンプレート５４が表示されると、キーボード４１とマウス４２とを操作してテキスト入力ボックス５６に患者情報５５を入力する。そして、入力後、完了ボタン５８をクリックし、入力の完了をプロセッサ装置１０２に指示する。なお、患者情報５５は、患者リスト画面８８から選択して入力してももちろん構わない。
【００６９】
ＣＰＵ１０８は、患者情報５５の入力完了が指示されると、入力された患者情報５５をワークメモリ４０に記録する。ＣＰＵ１０８は、患者情報５５の記録を行なうと、テンプレート５４を全画面サイズでモニタ１４に表示するとともに、モニタ１４に表示する画像データを動画記録（キャプチャ）することにより、その検査の動画ファイル１０６の作成を開始する。ＣＰＵ１０８は、動画記録の開始から数秒間経過した後、テンプレート５４を非表示にし、患者情報文字列６２が加えられた観察画面６０を表示させる。
【００７０】
検査スタッフは、患者情報文字列６２を含む観察画面６０がモニタ１４に表示されると、電子内視鏡１０の挿入部を患者の体腔内に挿入し、体腔内の観察を始める。そして、観察を行なった後、検査開始ボタン４３を押圧して検査の終了をプロセッサ装置１０２に指示する。
【００７１】
ＣＰＵ１０８は、検査終了の指示を受けると、動画記録を終了し、作成された動画ファイル１０６を画像ファイル保管部１０５に保管する。これにより、動画ファイル１０６には、図１３に示すように、患者情報５５が入力されたテンプレート５４を記録したインデックス記録領域１０６ａが先頭に形成され、これに引き続いて観察画面６０を記録した観察画面記録領域１０６ｂが形成される。
【００７２】
検査スタッフは、検査後に動画ファイル１０６を参照したい場合、マウス４２を操作してＣＦカード４４の画像ファイル保管部１０５にアクセスする。ＣＰＵ１０８は、画像ファイル保管部１０５へのアクセスを確認すると、サムネイル表示部１０９にサムネイル表示処理の実行を指示する。サムネイル表示部１０９は、サムネイル表示の実行が指示されると、画像ファイル保管部１０５に保管された動画ファイル１０６を１つワークメモリ４０に読み出し、その動画ファイル１０６の先頭のフレーム、すなわちインデックス記録領域１０６ａに記録されたテンプレート５４に基づくインデックス縮小画像１１０（図１４参照）を生成する。
【００７３】
サムネイル表示部１０９は、これを順次繰り返し、画像ファイル保管部１０５に保管された各動画ファイル１０６のそれぞれに対応するインデックス縮小画像１１０を生成する。そして、生成した各インデックス縮小画像１１０を動画ファイル１０６の取得順に並べることにより、図１４に示すサムネイル表示画面１１２を構成し、そのサムネイル表示画面１１２をモニタ１４に表示する。
【００７４】
検査スタッフは、サムネイル表示画面１１２がモニタ１４に表示されると、各インデックス縮小画像１１０を参照して患者情報５５を読み取り、所望の患者の動画ファイル１０６を検索する。そして、所望の動画ファイル１０６を見付けると、マウス４２を操作してインデックス縮小画像１１０をクリックすることにより、その動画ファイル１０６を選択する。ＣＰＵ１０８は、インデックス縮小画像１１０がクリックされると、そのインデックス縮小画像１１０に対応する動画ファイル１０６の示す動画像をモニタ１４に表示させる。
【００７５】
このように、本実施形態によれば、画像ファイル保管部１０５に保管された各動画ファイル１０６がどの患者のものであるかを、サムネイル表示画面１１２を参照するだけで判別することができる。従って、画像ファイル保管部１０５に複数の動画ファイル１０６が保管されている場合にも、所望の動画ファイル１０６を容易に検索することができる。なお、例えば、動画記録を行なうか静止画記録を行なうかを選択的に切り替えられるようにしたり、動画記録中に静止画記録を行なえるようにしたりすることにより、上記第１、第２の実施形態と本実施形態とを組み合わせるようにしてもよい。
【００７６】
なお、本実施形態では、検査開始から検査終了までを記録する動画ファイル１０６を取得する例を示したが、これに限ることなく、例えば、動画記録の開始と終了とを指示するための動画記録開始／終了指示ボタンを電子内視鏡１０に設け、検査中の任意の部分だけを動画記録するようにしてもよい。この際、一検査で複数の動画ファイル１０６が取得された場合には、最初の動画ファイル１０６にだけインデックス記録領域１０６ａを形成してもよいし、各動画ファイル１０６のそれぞれにインデックス記録領域１０６ａを形成してもよい。
【００７７】
次に、本発明の第４の実施形態について説明する。図１５に示すように、本実施形態の内視鏡システム１２０のプロセッサ装置１２２には、プリンタ１２４が接続されている。また、プロセッサ装置１２２のＣＰＵ１２８は、プリンタ１２４を駆動するためのプリンタドライバ１３０を有している。このプロセッサ装置１２２は、電子内視鏡１０に設けられたレリーズボタン２２の押圧によって観察画面６０の静止画記録を行い、静止画ファイル５２を取得する。そして、取得した静止画ファイル５２をプリンタ１２４に送信し、その静止画ファイル５２の示す静止画像を印刷する。
【００７８】
プロセッサ装置１２２のＣＰＵ１２８は、検査開始ボタン４３の押圧によって検査の開始が指示されると、ＲＡＭ３１からテンプレート５４を読み出してモニタ１４に表示し、検査スタッフに患者情報５５を入力させる。そして、ＣＰＵ１２８は、完了ボタン５８のクリックによって入力完了が指示されると、入力された患者情報５５をワークメモリ４０に記録するとともに、テンプレート５４を全画面サイズでモニタ１４に表示して静止画記録を行ない、インデックスファイル５３を取得する。
【００７９】
ＣＰＵ１２８は、インデックスファイル５３を取得すると、プリンタドライバ１３０を起動させる。プリンタドライバ１３０は、取得されたインデックスファイル５３をプリンタ１２４に送信する。プリンタ１２４は、インデックスファイル５３を受信すると、そのインデックスファイル５３の示す静止画像を印刷し、患者情報５５のみを表示するインデックスプリント１３２として出力する。ＣＰＵ１２８は、このようにインデックスプリント１３２を出力させた後、テンプレート５４を非表示にして患者情報文字列６２が加えられた観察画面６０をモニタ１４に表示させる。
【００８０】
検査スタッフは、患者情報文字列６２を含む観察画面６０がモニタ１４に表示されると、電子内視鏡１０の挿入部を患者の体腔内に挿入し、体腔内の観察を始める。そして、必要に応じてレリーズボタン２２を押圧し、静止画ファイル５２を取得する。ＣＰＵ１２８は、静止画ファイル５２を取得すると、プリンタドライバ１３０を起動させる。プリンタドライバ１３０は、取得された静止画ファイル５２をプリンタ１２４に送信する。プリンタ１２４は、静止画ファイル５２を受信すると、その静止画ファイル５２の示す静止画像を印刷し、観察画面を表示する観察画面プリント１３４として出力する。ＣＰＵ１２８は、以降、検査開始ボタン４３によって検査の終了が指示されるまで、レリーズボタン２２の押圧に応じて観察画面プリント１３４を出力させる。
【００８１】
上記各実施形態では、サムネイル表示を行なう際に本発明を適用した例を示したが、本実施形態に示すように、取得された静止画ファイル５２をプリント出力する際に本発明を適用してもよい。プリント出力する際に本発明を適用した場合、インデックスファイル５３を参照することで、検査で取得された各観察画面プリント１３４がどの患者のものであるかを判別することができる。
【００８２】
なお、本実施形態では、静止画ファイル５２とインデックスファイル５３とを別に印刷したが、これに限ることなく、例えば、分割印刷によって静止画ファイル５２とインデックスファイル５３とを１枚のプリント上に印刷するようにしてもよい。この場合、分割数が増えるほど、静止画ファイル５２に含まれる患者情報文字列６２の文字サイズが小さくなるが、サムネイル表示の場合と同様に、患者情報５５のみを表示するインデックスファイル５３の示す静止画像を参照することで、印刷された画像がどの患者のものであるかを確実に判別することができる。なお、１枚のプリントに印刷する画像の分割数は、４、８、又は１６であることが好ましい。
【００８３】
なお、上記各実施形態では、ＣＣＤ２０を撮像素子として示したが、撮像素子は、これに限ることなく、例えば、ＣＭＯＳイメージセンサなどでもよい。また、上記各実施形態では、電子内視鏡１０を内視鏡として示したが、内視鏡は、これに限ることなく、例えば、超音波内視鏡などでもよい。
【図面の簡単な説明】
【００８４】
【図１】内視鏡システムの構成を概略的に示すブロック図である。
【図２】インデックスファイルの作成手順を示す説明図である。
【図３】テンプレートの表示例を示す説明図である。
【図４】患者情報文字列の入力例を示す説明図である。
【図５】サムネイル表示画面の一例を示す説明図である。
【図６】内視鏡システムの検査手順を概略的に示すフローチャートである。
【図７】静止画ファイルの選択手順を概略的に示すフローチャートである。
【図８】レコーダに画像ファイル保管部を設けた例を示すブロック図である。
【図９】画像サーバに画像ファイル保管部を設けた例を示すブロック図である。
【図１０】患者リストから患者情報を入力する内視鏡システムの構成を概略的に示すブロック図である。
【図１１】患者リストの一例を示す説明図である。
【図１２】動画ファイルを記録する内視鏡システムの構成を概略的に示すブロック図である。
【図１３】動画ファイルの構成を概略的に示す説明図である。
【図１４】動画ファイルのサムネイル表示の一例を示す説明図である。
【図１５】取得した画像ファイルをプリント出力する例を示す説明図である。
【符号の説明】
【００８５】
２、８０、１００、１２０  内視鏡システム
１０  電子内視鏡
１２、８２、１０２、１２２  プロセッサ装置（内視鏡用画像処理装置）
１４  モニタ
３０、８６、１０８、１２８  ＣＰＵ（患者情報画像取得部）
３８  表示制御部（表示制御手段）
４１  キーボード（操作入力手段）
４２  マウス（操作入力手段）
４５、１０９  サムネイル表示部（サムネイル画像一覧生成部）
５１  ディレクトリ
５２  静止画ファイル
５３  インデックスファイル
６０  観察画面
６４、１１２  サムネイル表示画面
６６  観察画面縮小画像
６７  インデックス縮小画像
８５  患者情報記憶部（患者情報記憶手段）
８８  患者リスト画面
１０６  動画ファイル
【図１】
2009207610.tif 000003
【図２】
2009207610.tif 000004
【図３】
2009207610.tif 000005
【図４】
2009207610.tif 000006
【図５】
2009207610.tif 000007
【図６】
2009207610.tif 000008
【図７】
2009207610.tif 000009
【図８】
2009207610.tif 000010
【図９】
2009207610.tif 000011
【図１０】
2009207610.tif 000012
【図１１】
2009207610.tif 000013
【図１２】
2009207610.tif 000014
【図１３】
2009207610.tif 000015
【図１４】
2009207610.tif 000016
【図１５】
2009207610.tif 000017